(57)【要約】【課題】正面と背面とを反転することなく、隣り合った居住スペースとトイレスペースとの配置を変更することができるようにしたペット用サークルを提供する。【解決手段】ペット用サークルは、周壁パネル１と、仕切パネル２と居住側トレー４１とトイレ側トレー４２とを備えている。周壁パネル１は、正面パネル１１と背面パネル１２と左右の側面パネル１３，１４との各側辺が互いに連結され、内側に内部空間５を設ける。仕切パネル２は、内部空間５を居住スペース５１とトイレスペース５２とに区画するように正面パネル１１及び背面パネル１２に取り付けられる。居住側トレー４１は、居住スペース５１内に置かれる。トイレ側トレー４２は、トイレスペース５２内に置かれる。居住側トレー４１とトイレ側トレー４２とが交換自在とされる。両トレー４１，４２の交換に対応して仕切パネル２が正面パネル１１及び背面パネル１２に着脱自在とされる。【選択図】図１
2019097451.tif 000002
【特許請求の範囲】
【請求項１】
正面パネルと背面パネルと左右の側面パネルとの各側辺が互いに連結され、内側に内部空間を設ける周壁パネルと、
前記内部空間を居住スペースとトイレスペースとに区画するように前記正面パネル及び前記背面パネルに取り付けられる仕切パネルと、
前記居住スペース側に置かれる大きめの居住側トレーと、
前記トイレスペース側に置かれる小さめのトイレ側トレーと、
を備え、
前記居住側トレーと前記トイレ側トレーとが交換自在とされ、当該両トレーの交換に対応して前記仕切パネルが前記正面パネル及び前記背面パネルに着脱自在とされ、当該仕切パネルの取付位置によって前記居住スペースとトイレスペースとの配置が変更可能とされている、
ペット用サークル。
【請求項２】
前記居住側トレーは、前記居住スペース内に置かれる又は前記居住スペースから食み出るように置かれ、前記トイレ側トレーは、前記トイレスペース内に置かれる又は前記トイレスペースから食み出るように置かれる、請求項１に記載のペット用サークル。
【請求項３】
前記正面パネルは、前記居住スペースへの出入口及び前記トイレスペースへの出入口を有し、前記各出入口を開閉する各主扉を備えている請求項１又は２に記載のペット用サークル。
【請求項４】
前記正面パネルは、前記居住スペースへの出入口と前記トイレスペースへの出入口との間に設けられる中間部であって、前記仕切パネルが取り付けられる中間部を備えている請求項１乃至３のうちいずれか１項に記載のペット用サークル。
【請求項５】
前記仕切パネルは、前記居住スペースと前記トイレスペースとの間でペットが出入りできるようにする仕切出入口を有し、当該仕切出入口を開閉する仕切扉とを備えている請求項１乃至４のうちいずれか１項に記載のペット用サークル。
【請求項６】
前記正面パネル及び前記背面パネルは、居住スペース側の第１のパネルとトイレスペース側の第２のパネルとに二分割され、前記居住スペース側の第１
のパネルとトイレスペース側の第２のパネルとを連結する連結部材を備えている請求項１乃至５のうちいずれか１項に記載のペット用サークル。
【請求項７】
少なくとも前記正面パネル及び前記背面パネルは、複数本の線材を格子状に組んだ檻状とされ、前記仕切パネルの着脱位置で隣り合っている線材の間隔が他の位置で隣り合っている間隔よりも狭くされている請求項１乃至６のうちいずれか１項に記載のペット用サークル。
【請求項８】
前記居住側トレー及び前記トイレ側トレーは、それぞれ底板部と、当該底板部の外周縁に立ち上げられた周壁部と、当該各周壁部の上端縁から外向きに突出した鍔部と、を備え、隣り合った前記居住側トレーと前記トイレ側トレーの各鍔部に、係合する折返し部が備えられている請求項１乃至７のうちいずれか１項に記載のペット用サークル。
【請求項９】
前記居住側トレー及び前記トイレ側トレーは、一体化さている請求項１乃至７のうちいずれか１項に記載のペット用サークル。
【発明の詳細な説明】
【技術分野】
【０００１】
本発明は、犬や猫などのペットを入れるペット用サークルに関し、特に、居住スペースとトイレスペースとが隣り合うように設けられたペット用サークルに関する。
【背景技術】
【０００２】
犬や猫などのペットを屋内で飼えるようにしたペット用サークルが種々提供されている。例えば、特許文献１には、広めの居住スペースと狭めのトイレスペースとが隣り合うように設けられたペット用サークルが記載されている。
【０００３】
このペット用サークルは、内部空間を設ける周壁パネルと、この内部空間を居住スペースとトイレスペースとに区画する仕切パネルとを備えている。居住スペースの床面は、タオル地やカーペット地とされている。トイレスペースには、プラスチック製や金属製のトレーが設置されている。なお、ペット用サークルは、一般的に正面のパネルに扉を取り付けている。
【先行技術文献】
【特許文献】
【０００４】
【特許文献１】特開２００３−２３９０４号公報
【発明の概要】
【発明が解決しようとする課題】
【０００５】
特許文献１に記載されたペット用サークルは、向かって左側に居住スペースが設置され、右側にトイレスペースが設置されている。ペット用サークルは、設置されるリビングルームのレイアウトの関係などから、向かって左側にトイレスペースを設置し、右側に居住スペースを設置したい場合がある。しかし、ペット用サークルは、正面側と背面側を反転させて、居住スペースとトイレスペースとを左右交換すると、扉が壁向きとなり、前面に扉を有さなくなる。
【０００６】
本発明は、正面と背面とを反転することなく、隣り合った居住スペースとトイレスペースとの配置を変更することができるようにしたペット用サークルを提供することを目的とする。
【課題を解決するための手段】
【０００７】
本発明の一態様のペット用サークルは、
正面パネルと背面パネルと左右の側面パネルとの各側辺が互いに連結され、内側に内部空間を設ける周壁パネルと、
前記内部空間を居住スペースとトイレスペースとに区画するように前記正面パネル及び前記背面パネルに取り付けられる仕切パネルと、
前記居住スペース側に置かれる大きめの居住側トレーと、
前記トイレスペース側に置かれる小さめのトイレ側トレーと、
を備え、
前記居住側トレーと前記トイレ側トレーとが交換自在とされ、当該両トレーの交換に対応して前記仕切パネルが前記正面パネル及び前記背面パネルに着脱自在とされ、当該仕切パネルの取付位置によって前記居住スペースとトイレスペースとの配置が変更可能とされている。
【０００８】
前記居住側トレーは、前記居住スペース内に置かれる又は前記居住スペースから食み出るように置かれ、前記トイレ側トレーは、前記トイレスペース内に置かれる又は前記トイレスペースから食み出るように置かれてもよい。
【０００９】
前記正面パネルは、前記居住スペースへの出入口及び前記トイレスペースへの出入口を有し、前記各出入口を開閉する主扉を備えていてもよい。
この場合、前記正面パネルは、前記居住スペースへの出入口と前記トイレスペースへの出入口との間に設けられる中間部であって、前記仕切パネルが取り付けられる中間部を備えていてもよい
前記仕切パネルは、前記居住スペースと前記トイレスペースとの間でペットが出入りできるようにする仕切出入口を有し、当該仕切出入口を開閉する各仕切扉とを備えていてもよい。
【００１０】
前記正面パネル及び前記背面パネルは、居住スペース側の第１のパネルとトイレスペース側の第２のパネルとに二分割され、前記居住スペース側の第１のパネルとトイレスペース側の第２のパネルとを連結する連結部材を備えていてもよい。
少なくとも前記正面パネル及び前記背面パネルは、複数本の線材を格子状に組んだ檻状とされ、前記仕切パネルの着脱位置で隣り合っている線材の間隔が他の位置で隣り合っている間隔よりも狭くされていてもよい。
【００１１】
前記居住側トレー及び前記トイレ側トレーは、それぞれ底板部と、当該底板部の外周縁に立ち上げられた周壁部と、当該各周壁部の上端縁から外向きに突出した鍔部と、を備え、隣り合った前記居住側トレーと前記トイレ側トレーの各鍔部に、係合する折返し部が備えられていてもよい。
【００１２】
前記居住側トレー及び前記トイレ側トレーは、一体化されていてもよい。
【発明の効果】
【００１３】
本発明によれば、正面と背面とを反転することなく、隣り合った居住スペースとトイレスペースとの配置を変更することができるようにしたペット用サークルを提供することができる。
【図面の簡単な説明】
【００１４】
【図１】本発明に係るペット用サークルの一実施形態を示す斜視図であって、居住スペースが右側、トイレスペースが左側にある状態を示す斜視図である。
【図２】本発明に係るペット用サークルの一実施形態を示す斜視図であって、居住スペースが左側、トイレスペースが右側にある状態を示す斜視図である。
【図３】本発明に係るペット用サークルの一実施形態を示す斜視図であって、居住スペースが右側、トイレスペースが左側にある状態を示す分解斜視図である。
【図４】本発明に係るペット用サークルの一実施形態を示す斜視図であって、正面パネルに備えられた主扉及び仕切パネルに備えられた仕切扉が開けられている状態を示す斜視図である。
【図５】本発明に係るペット用サークルに備えられたトレーの一実施形態を示す断面正面図であって、（ａ）は全体を示す正面断面図、（ｂ）は、要部を拡大した正面断面図である。
【発明を実施するための形態】
【００１５】
以下、本発明のペット用サークルの一実施形態について図面を参照して説明する。本発明のペット用サークルは、周壁パネル１と、仕切パネル２と、居住側トレー４１と、トイレ側トレー４２と、を備えている。本発明のペット用サークルは、さらに天井パネル３を備えている。
【００１６】
図１乃至図４に示すように、周壁パネル１は、リビングルームのフロアなどの上に設置され、正面パネル１１と背面パネル１２と左右の側面パネル１３，１４とを備えている。各パネル１１〜１４は、各側辺が連結部材１５によって互いに連結される。周壁パネル１の内側に内部空間５が設けられる。仕切パネル２は、内部空間５を広めの居住スペース５１狭めのトイレスペース５２とに区画するように正面パネル１１及び背面パネル１２に取り付けられる。
【００１７】
図３にも示すように、周壁パネル１、仕切パネル２及び天井パネル３は、複数本の線材（番線）６を格子状に組んだ檻状とれている。すなわち、正面パネル１１は、起立姿勢で並べられた多数本の線材６と、水平姿勢で並べられた複数本の線材６とによって檻状とされている。背面パネル１２、左右の側面パネル１３，１４及び仕切パネル２は、起立姿勢で並べられた多数本の線材６と、上下の２か所及び中間の２か所とに水平姿勢で並べられた線材６とによって檻状とされている。天井パネル３は、水平姿勢で正面パネル１１と背面パネル１２とに架け渡されるように並べられた多数本の線材６と、水平姿勢で左右の両側面パネル１３，１４に架け渡されるように並べられた複数本（例えば４本）の線材６とによって檻状とされている。
【００１８】
正面パネル１１、背面パネル１２及び天井パネル３は、居住スペース５１側の第１の分割パネル（採番せず）とトイレスペース５２の第２の分割パネル（採番せず）に二分割される。分割パネルは、重ね合わされることで、コンパクトに梱包することができる。分割パネルは、連結部材１５によって連結されることで、フラットな所定の大きさの正面パネル１１、背面パネル１２及び天井パネル３に組み立てられる。
【００１９】
図４にも示すように、正面パネル１１の第１の分割パネルは、居住スペース５１への出入口又はトイレスペース５２への出入口となる第１の出入口１１１を有し、この第１の出入口１１１を開閉する第１の主扉１１３を備えている。正面パネル１１の第２の分割パネルは、居住スペース５１への出入口又はトイレスペース５２への出入口となる第２の出入口１１２を有し、この第２の出入口１１２を開閉する第２の主扉１１４を備えている。両主扉１１３，１１４は、蝶番のような支持部材１１５を基端側の軸にして手前側に開閉する開き戸である。支持部材１１５は、側面パネル１３，１４に隣接する正面パネル１１の線材６に取り付けられる。
【００２０】
各主扉１１３，１１４の先端部には、ロック部材１１６が取り付けられている。ロック部材１１６は、各主扉１１３，１１４の上部及び下部で突出・退入するスライド部材１１７と、スライド部材１１７を操作するハンドル（採番せず）とを備えている。スライド部材１１７が突出することで、各主扉１１３，１１４が開けられないようにされている。スライド部材１１７が退入することで、各主扉１１３，１１４が開けられるようにされている。
【００２１】
正面パネル１１は、居住スペース５１の出入口とトイレスペース５２の出入口との間に中間部１１８を設けたものとされる。中間部１１８は、第１の分割パネルに設けられ、第２の分割パネルに設けられない。したがって、第１の分割パネルは、第２の分割パネルよりも中間部１１８の分だけ大きく形成されている。この中間部１１８の一端（例えば左端）又は他端（例えば右端）に仕切パネル２の前側端縁が位置する。
【００２２】
仕切パネル２の上端縁には、一対の掛止部２３，２３が反対方向に突出するように設けられている。各掛止部２３，２３が正面パネル１１と背面パネル１２の各上側の水平姿勢の線材６に掛止される。仕切パネル２の背面側は、中間部１１８と向き合う背面パネル１２に位置する。正面パネル１１の中間部１１８と、この中間部１１８と向き合う背面パネル１２の中間部１１８は、両線材６の間隔が、中間部１１８以外の部位の線材６の間隔よりも狭くされている。こうすることで、仕切パネル２が位置ずれしないようにすることができるとともに、仕切パネル２を掛止する位置の目印となる。
【００２３】
仕切パネル２は、居住スペース５１とトイレスペース５２との間でペットが出入りできるようにする仕切出入口２１を有し、この仕切出入口２１を開閉する仕切扉２２とを備えている。仕切出入口２１は、例えば、正面パネル１１側に設けられる。仕切扉２２は、スライドする引き戸とされている。仕切パネル２は、仕切扉２２のスライドをガイドする線材６を備えている。
【００２４】
天井パネル３の第１の分割パネルと第２の分割パネルは、同じ大きさに形成される。天井パネル３の第２の分割パネルが天井パネル３の第１の分割パネルと隣り合う側（基端側）の線材６であって、正面パネル１１及び背面パネル１２と平行に向いた線材６の一対は、天井パネル３の第１の分割パネルの線材６であって、天井パネル３の第２の分割パネルと隣り合っている線材６に間隔を空けて巻き付くように延長した折返し部（採番せず）を備えている。この折返し部によって、天井パネル３の第１の分割パネルと第２の分割パネルとが平坦な状態と跳ね上がった状態とに姿勢転換するように開閉する。
【００２５】
天井パネル３の第１の分割パネルは、居住スペース５１を囲む側の正面パネル１１、背面パネル１２及び一方（図面では右側）の側板パネル１３の上縁に重なるように設置され、跳ね上がった開扉状態と、居住スペース５１を閉じた閉扉状態とに開閉する。天井パネル３の第２の分割パネルは、トイレスペース５２を囲む側の正面パネル１１、背面パネル１２及び他方（図面では左側）側板パネル１４の上縁に重なるように設置され、跳ね上がった開扉状態と、トイレスペース５２を閉じた閉扉状態とに開閉する。
【００２６】
さらに、天井パネル３の両分割パネルの遊端側には、閉扉した状態を維持できるように、各側板パネル１３，１４の上縁の線材６に引っ掛かるフック３１，３１が設けられている。天井パネル３の各分割パネルの遊端部は、上向きの力が加えられることで、フック３１，３１が各側板パネル１３，１４の上縁の線材６から外れ、開扉することができる。
【００２７】
広めの居住スペース５１内には、大きめの居住側トレー４１が置かれる。狭めのトイレスペース５２内には、小さめのトイレ側トレー４２が置かれる。両トレー４１，４２は、例えばＡＢＳ樹脂のような樹脂や金属などで成形される。居住側トレー４１がトイレ側トレー４２よりも大きくても、正面パネル１１に中間部１１８が設けられていることにより、居住側トレー４１が両出入口１１１，１１２に食み出ることはない。換言すれば、居住側トレー４１が両出入口１１１，１１２に食み出ないような大きさに中間部１１８が設けられる。
【００２８】
図５に示すように、居住側トレー４１及びトイレ側トレー４２は、それぞれ底板部４１１，４２１と、この底板部４１１，４２１の外周縁に立ち上げられた周壁部４１２，４２２と、この各周壁部４１２，４２２の上端縁から外向きに突出した鍔部４１３，４２３とを備えている。隣り合った居住側トレー４１の鍔部４１３とトイレ側トレー４２の鍔部４２３とには、係合する折返し部４１４，４２４がそれぞれ備えられている。トイレ側トレー４２の折返し部４２４が居住側トレー４１の折返し部４１４に被さることで、両トレー４１，４２が連結される。なお、図示しないが、居住側トレー４１の折返し部４１４がトイレ側トレー４２の折返し部４２４に被さるようにしてもよい。
【００２９】
居住側トレー４１の底板部４１１には、複数（図面では３か所）の突起４１５が設けられている。突起４１５は、折返し部４１４が設けられる周壁部４１２に近接して設けられている。つまり、居住側トレー４１には、突起４１５と周壁部４１２との間に溝部４１６が形成された状態とされている。この溝部４１６内に仕切パネル２の下縁部が嵌め込まれる。このようにして仕切パネル２は、ガタツキがないように内部空間５を仕切る。
【００３０】
ここで、本実施形態のペット用サークルの組立手順について説明する。まず、リビングルームのレイアウトなどから、ペットの飼主である使用者は、向かって右側に居住スペース５１を設置し、左側にトイレスペース５２を設置するか、あるいは、向かって右側にトイレスペース５２を設置し、左側に居住スペース５１を設置するかを決定する。
【００３１】
ペット用サークルの正面パネル１１、背面パネル１２及び天井パネル３は、第１の分割パネルと第２の分割パネルとに二分割され、重ね合わされ、コンパクトに梱包されて配達される。したがって、開梱した後、使用者は、二分割されている第１の分割パネルと第２の分割パネルとを並べて連結部材１５によって一体化し、所定の正面パネル１１、背面パネル１２及び天井パネル３に組み立てる。
【００３２】
なお、正面パネル１１は、梱包されたときに、各主扉１１３，１１４が両出入口１１１，１１２に予め取り付けられたものであってもよいし、別途、取り付けられるものであってもよい。また、仕切パネル２は、梱包されたときに、仕切出入口２１に仕切扉２２が取り付けられたものであってもよいし、別途、取り付けられるものであってもよい。
【００３３】
図１に示すように、右側に居住スペース５１を設置し、左側にトイレスペース５２を設置する場合は、右側に居住側トレー４１を置き、左側にトイレ側トレー４２を置く。図２に示すように、左側に居住スペース５１を設置し、右側にトイレスペース５２を設置する場合は、左側に居住側トレー４１を置き、右側にトイレ側トレー４２を置く。いずれにしても、トイレ側トレー４２の折返し部４２４が居住側トレー４１の折返し部４１４に被さることで、両トレー４１，４２が連結される。
【００３４】
使用者は、この両トレー４１，４２を囲むように周壁パネル１を組み立てる。使用者は、正面パネル１１と背面パネル１２と側板パネル１３，１４が両トレー４１，４２を囲むように起立させる。ただし、仕切パネル２の上端縁で突出した一対の掛止部２３，２３が正面パネル１１の線材６と背面パネル１２の線材６とに引っ掛けられるように、正面パネル１１と背面パネル１２の上部の間隔が下部の間隔よりも広くされている。
【００３５】
使用者は、正面パネル１１と背面パネル１２の上部の間隔と下部の間隔とが同じ、すなわち、正面パネル１１と背面パネル１２が平行になるように起立させることで、仕切パネル２の上部で突出した一対の掛止部２３，２３が正面パネル１１の線材６と背面パネル１２の線材６とに引っ掛けられる。仕切パネル２の下縁部は、居住側トレー４１の溝部４１６内に嵌め込まれる。
【００３６】
そして、正面パネル１１と背面パネル１２と左右の側面パネル１３，１４との各側辺を連結部材１５によって互いに連結することで、内側に内部空間５を設ける周壁パネル１が組み立てられる。周壁パネル１は、連結された居住側トレー４１とトイレ側トレー４２との両鍔部４１３，４２３を囲むことで、両トレー４１，４２を位置ずれさせない。
【００３７】
次に、使用者は、仕切パネル２を正面パネル１１と背面パネル１２とに取り付ける。図１に示すように、右側に居住スペース５１を設置し、左側にトイレスペース５２を設置する場合は、正面パネル１１の中間部１１８の左側に仕切パネル２を位置させる。図２に示すように、左側に居住スペース５１を設置し、右側にトイレスペース５２を設置する場合は、正面パネル１１の中間部１１８の右側に仕切パネル２を位置させる。
【００３８】
いずれにしても、仕切パネル２の上辺から突出した掛止部２３，２３が正面パネル１１の中間部１１８及びこの中間部１１８と対向する背面パネル１２の水平姿勢とされた最上の線材６に引っ掛けられる。仕切パネル２の下縁部が居住側トレー４１の溝部４１６内に嵌め込まれる。なお、仕切パネル２は、梱包されたときに、仕切出入口２１に仕切扉２２が取り付けられたものであってもよいし、別途、取り付けられるものであってもよい。
【００３９】
次に、使用者は、内部空間５を塞ぐように天井パネル３の周縁を周壁パネル１上に置く。使用者は、天井パネル３と周壁パネル１とも連結部材１５によって連結する。天井パネル３によって、ペットが内部空間５内から飛び出ないようにするとともに、周壁パネル１を保形することができる。
【００４０】
ここで、本実施形態のペット用サークルの使用方法について説明する。ここでは、正面パネル１１の第１の出入口１１１側に居住スペース５１が設けられ、第２の出入口１１２側にトイレスペース５２が設けられるとして説明する。居住スペース５１内の居住側トレー４１上には、食器などが置かれる。トイレスペース５２内のトイレ側トレー４２上には、トイレ用具が置かれる。この食器やトイレ用具は、天井パネル３の各分割パネルを開閉することで、入れたり出したりすることができる。
【００４１】
飼主が外出したり、就寝したりするときは、ペットをペット用サークル内に入れて、正面パネル１１の両主扉１１３，１１４を閉じた状態とする。仕切パネル２の仕切扉２２は、基本的に開けた状態とする。
【００４２】
ペットに対してトイレ躾するときは、ペットを居住スペース５１内に入れて、正面パネル１１の両主扉１１３，１１４及び仕切パネル２の仕切扉２２を閉じた状態とする。ペットの様子から排泄が近づいてきたと察知できた場合、飼主は、仕切パネル２の仕切扉２２を開けて、ペットをトイレスペース５２へ誘導する。飼主は、ペットがトイレ側トレー４２で排泄し終えると、トイレ側トレー４２で排泄したことを誉める。  
【００４３】
そして、飼主は、仕切パネル２の仕切扉２２を開けてペットを居住スペース５１へ戻す。そして、ペットを内部空間５内から出すときは、飼主は、正面パネル１１の居住スペース５１の第１の主扉１１３を開ける。ペットは、居住スペース５１へ戻すことなく、正面パネル１１のトイレスペース５２の第２の主扉１１４から出すようにしてもよい。
【００４４】
ペットに対するトイレの躾ができると、仕切パネル２の仕切扉２２は、開けっ放しにしてよい。飼主が外出したり、就寝したりするとき以外は、正面パネル１１のトイレスペース５２側の第２の主扉１１４も開けっ放しにしてよい。ただし、躾ができたペットについて、仕切扉２２と各主扉１１３，１１４の開閉は、飼主の任意である。
【００４５】
また、ペット用サークルの設置場所が変更され、居住スペース５１とトイレスペース５２とを入れ替えたい場合は、天井パネル３を周壁パネル１から外し、仕切パネル２を正面パネル１１及び背面パネル１２から外し、居住側トレー４１とトイレ側トレー４２とを交換し、仕切パネル２を正面パネル１１及び背面パネル１２に付け直す。
【００４６】
以上、本発明の一実施形態について説明したが、本発明は、上述の実施形態に限定されるものではなく、本発明の目的を達成できる範囲での変形改良等は本発明に含まれるものである。
【００４７】
例えば、ペット用サークルは、天井パネル３を必ずしも備えなくてもよい。天井パネル３を備えない場合は、周壁パネル１の上縁に枠状のフレーム（図示せず）を固定してもよい。この場合は、枠状のフレームに仕切パネル２の掛止部２３を引っ掛ける切欠き部を二対、形成してもよい。
【００４８】
また、仕切パネル２は、必ずしも仕切扉２２を備えなくてもよい。この場合、ペットは、正面パネル１１の居住スペース５１への第１の出入口１１１及びトイレスペース５２への第２の出入口１１２を通って、居住スペース５１とトイレスペース５２とを行き来する。
【００４９】
居住スペース５１への第１の出入口１１１及びトイレスペース５２への第２の出入口１１２は、正面パネル１１でなく、少なくとも一方を側面パネル１３，１４に設けてもよい。また、何れであっても、主扉１１３，１１４は、折れ戸としてもよい。主扉１１３，１１４に取り付けられるロック部材１１６は、ターンするだけの部材であったり、ラッチのような部材であったりしてもよい。
【００５０】
正面パネル１１、背面パネル１２及び天井パネル３は、居住スペース５１側の分割パネルとトイレスペース５２側の分割パネルとに二分割することなく、それぞれ１枚で構成してもよい。逆に、正面パネル１１、背面パネル１２及び天井パネル３が大型化された場合は、三分割以上としてもよい。正面パネル１１や背面パネル１２を二分割以上とするときは、連結部材１５によって一体化するのではなく、一方の分割パネルの一方の番線が他方の分割パネルの方へ伸びて、他方の分割パネルの直交する番線に巻き付くようにしてもよい。
【００５１】
正面パネル１１及び背面パネル１２は、仕切パネル２の着脱位置の線材６の間隔を必ずしも狭くする必要はない。この場合は、仕切パネル２の取付位置の正面パネル１１及び背面パネル１２にテープを巻き付けたり着色したりするといったような目印を付し、仕切パネル２が位置ずれしないように掛止部２３にスペーサを取り付けてもよい。仕切パネル２は、掛止部２３，２３にネジを切り、ナット（図示せず）によって固定したものとしてもよい。
【００５２】
居住側トレー４１とトイレ側トレー４２は、必ずしも折返し部４１４，４２４を備えることなく、単に並べられるだけとしてもよい。逆に、居住側トレー４１とトイレ側トレー４２とは、一体化したものとし、左右の向きを逆転させて使用してもよい。この居住側トレー４１とトイレ側トレー４２とは、一体化したトレーであっても、居住側トレー４１の底板部４１１には、複数（図面では３か所）の突起４１５が設けられ、突起４１５と周壁部４１２との間に溝部４１６が形成される。
【００５３】
正面パネル１１、背面パネル１２と左右の側面パネル１３，１４は、連結部材１５によって連結することなく、いずれかのパネル１１〜１４の線材６の先端部が延長され、他方の線材６を巻き付くようにして連結してもよい。
【００５４】
周壁パネル１や天井パネル３は、複数の線材６を格子状に組んだ檻状とすることなく、いずれかをプラスチック製のボードとしたり、すべてを多数の孔を開けたボードとしたりしてもよい。
【００５５】
居住側トレー４１とトイレ側トレー４２は、それぞれ居住スペース５１内とトイレスペース５２内に置かれることなく、居住スペース５１とトイレスペース５２から食み出すように置かれてもよい。この場合は、折返し部４１４，４２４を備えていない側の居住側トレー４１の周壁部４１２，４２２が周壁パネル１の外側を囲む状態となる。正面パネル１１の中間部１１８と背面パネル１２の中間部の両下端部が入り込むようにするために、両トレー４１，４２の折返し部４１４，４２４及びこの折返し部４１４，４２４を設ける周壁部４１２，４２２の両端部は設けられない。
【００５６】
以上まとめると、本発明が適用されるペット用サークルは、次のような構成を取れば足り、各種各様な実施形態をとることができる。
【００５７】
すなわち、本発明に係るペット用サークルは、
正面パネル１１と背面パネル１２と左右の側面パネル１３，１４との各側辺が互いに連結され、内側に内部空間５を設ける周壁パネル１と、
内部空間５を居住スペース５１とトイレスペース５２とに区画するように正面パネル１１及び背面パネル１２に取り付けられる仕切パネル２と、
居住スペース５１側に置かれる大きめの居住側トレー４１と、
トイレスペース５２側に置かれる小さめのトイレ側トレー４２と、
を備え、
居住側トレー４１とトイレ側トレー４２とが交換自在とされ、当該両トレー４１，４２の交換に対応して仕切パネル２が正面パネル１１及び背面パネル１２に着脱自在とされ、当該仕切パネル２の取付位置によって居住スペース５１とトイレスペース５２との配置が変更可能とされている。
【００５８】
このペット用サークルによれば、居住側トレー４１とトイレ側トレー４２とが交換自在とされ、当該両トレー４１，４２の交換に対応して仕切パネル２が正面パネル１１及び背面パネル１２に着脱自在とされていることにより、正面と背面とを反転することなく、隣り合った居住スペース５１とトイレスペース５２との配置を変更することができる。
【００５９】
居住側トレー４１は、居住スペース５１内に置かれる又は居住スペース５１から食み出るように置かれ、トイレ側トレー４２は、トイレスペース５２内に置かれる又はトイレスペース５２から食み出るように置かれる。
【００６０】
このペット用サークルによれば、居住側トレー４１が居住スペース５１内に置かれ、トイレ側トレー４２がトイレスペース５２内に置かれることにより、周壁パネル１をフロアなどの上に安定して設置することができる。居住側トレー４１が居住スペース５１から食み出るように置かれ、トイレ側トレー４２がトイレスペース５２から食み出るように置かれることにより、周壁パネル１を両トレー４１，４２上に設置するようにすることができる。
【００６１】
正面パネル１１は、居住スペース５１への第１の出入口１１１及びトイレスペース５２への第２の出入口１１２を有し、各出入口１１１，１１２を開閉する各主扉１１３，１１４を備えている。
【００６２】
このペット用サークルによれば、ペットが居住スペース５１又はトイレスペース５２へ出入りするときに、居住スペース５１への第１の出入口１１１及びトイレスペース５２への第２の出入口１１２を使用することができる。ペット用サークルは、各主扉１１３，１１４を閉扉することで、ペットを内部空間５内に入れておくことができる。正面パネル１１が居住スペース５１への第１の出入口１１１、第１の主扉１１３及びトイレスペース５２への第２の出入口１１２、第２の主扉１１４を有していても、ペット用サークルは、この両出入口１１１，１１２、各主扉１１３，１１４を手前に向けたまま、居住スペース５１とトイレスペース５２との配置を変更することができる。
【００６３】
この場合、正面パネル１１は、居住スペース５１への第１の出入口１１１とトイレスペース５２への第２の出入口１１２との間に設けられる中間部１１８であって、前記仕切パネルが取り付けられる中間部１１８を備えている。
【００６４】
このペット用サークルによれば、居住スペース５１が大きく、トイレスペース５２が小さくされているときに、居住スペース５１に設置する居住側トレー４１が中間部１１８内に納まるようにすることができる。
【００６５】
仕切パネル２は、居住スペース５１とトイレスペース５２との間でペットが出入りできるようにする仕切出入口２１を有し、当該仕切出入口２１を開閉する仕切扉２２とを備えている。
【００６６】
このペット用サークルによれば、ペットが仕切パネル２の開扉した仕切出入口２１を通って、居住スペース５１とトイレスペース５２とを行き来することができるようにすることができる。ペット用サークルは、仕切扉２２を開閉することで、排泄の躾をすることができる。
【００６７】
正面パネル１１及び背面パネル１２は、居住スペース５１側の第１のパネルとトイレスペース５２側の第２のパネルとに二分割され、居住スペース５１側の第１のパネルとトイレスペース５２側の第２のパネルとを連結する連結部材１５を備えている。
【００６８】
このペット用サークルによれば、居住スペース５１側の第１のパネルとトイレスペース５２側の第２のパネルとに二分割されていることにより、コンパクトに梱包することができ、運送費を抑えることができる。
【００６９】
少なくとも正面パネル１１及び背面パネル１２は、複数本の線材６を格子状に組んだ檻状とされ、仕切パネル２の着脱位置で隣り合っている線材６の間隔が他の位置で隣り合っている間隔よりも狭くされている。
【００７０】
このペット用サークルによれば、隣り合っている線材６の間隔が狭くされることにより、仕切パネル２を取り付ける位置がわかりやすくなり、また、仕切パネル２が位置ずれしないようにすることができる。
【００７１】
居住側トレー４１及びトイレ側トレー４２は、それぞれ底板部４１１，４２１と、当該底板部４１１，４２１の外周縁に立ち上げられた周壁部４１２，４２２と、当該各周壁部４１２，４２２の上端縁から外向きに突出した鍔部４１３，４２３と、を備え、隣り合った居住側トレー４１とトイレ側トレー４２の各鍔部４１３，４２３に、係合する折返し部４１４，４２４が備えられている。
【００７２】
このペット用サークルによれば、居住側トレー４１の鍔部４１３，４２３とトイレ側トレー４２の鍔部４１３，４２３とに備えられた折返し部４１４，４２４が係合することで、居住側トレー４１とトイレ側トレー４２とを一体化し、一方のトレーが他方のトレーに乗り上げないようにすることができる。
【００７３】
前記居住側トレー及び前記トイレ側トレーは、一体化されている。このペット用サークルによれば、居住側とトイレ側に分割されていない一体のトレーを使用したいという要請に応えることができる。
【符号の説明】
【００７４】
１…周壁パネル
１１…正面パネル
１１１…第１の出入口
１１２…第２の出入口
１１３…第１の主扉
１１４…第２の主扉
１１８…中間部
１２…背面パネル
１３…側面パネル
１４…側面パネル
１５…連結部材
２…仕切パネル
２１…仕切出入口
２２…仕切扉
３…天井パネル
４１…居住側トレー
４１１…底板部
４１２…周壁部
４１３…鍔部
４１４…折返し部
４２…トイレ側トレー
４２１…底板部
４２２…周壁部
４２３…鍔部
４２４…折返し部
５…内部空間
５１…居住スペース
５２…トイレスペース
６…線材
【図１】
2019097451.tif 000003
【図２】
2019097451.tif 000004
【図３】
2019097451.tif 000005
【図４】
2019097451.tif 000006
【図５】
2019097451.tif 000007